(57)【要約】【課題】この発明は、施錠ユニットおよびこの施錠ユニットを用いたドアセットおよび袖壁構造に関する。【解決手段】この施錠ユニットは、上下に平行に配置された複数のロックピンと、該ロックピンを出没させるリンク機構と、該リンク機構を作動させるロック施錠部と、扉開閉用の錠前取付部とを１つのケーシング内に収納し、ドアセットや袖壁に組み込むことができるので、取付が容易であると共に、安全性を向上させることができる。【選択図】  図１
2006077475.tif 000002
【特許請求の範囲】
【請求項１】
複数のロックピンと、該ロックピンを出没させるリンク機構と、該リンク機構を作動させるロック施錠部とを縦長のケーシング内に収納してなり、
前記リンク機構が、ケーシングの長手方向に沿って上下に延びる第１リンク部材と、該第１リンク部材と各ロックピンとの間にそれぞれ介設されて、ロック施錠部の操作による第１リンク部材の変位を各ロックピンの進退動に変換する第２リンク部材とからなっていることを特徴とする施錠ユニット。
【請求項２】
ケーシング内でリンク機構と衝合しない個所に、扉開閉用の錠前取付部を設けてなり、錠前取付部に取り付けた錠前によってロックピンとは独立して施錠乃至解錠を行うことができるようにしたことを特徴とする請求項１に記載の施錠ユニット。
【請求項３】
リンク機構がケーシング内を上下または左右方向に摺動する第１リンク部材と、該第１リンク部材に枢着され先端にロックピンを連結した第２リンク部材とからなっており、
第２リンク部材が、前記第１リンク部材の上下または左右方向の動きをロックピンの進退方向の動きに変換する伝動リンクと、該伝動リンクに枢着されてロックピンを進退方向に変位させる摺動リンクとからなっていることを特徴とする請求項１から３のいずれかに記載の施錠ユニット。
【請求項４】
請求項１から３のいずれかに記載の施錠ユニットを内蔵したことを特徴とするドアセット。
【請求項５】
請求項１から３のいずれかに記載の施錠ユニットが、その他の扉用ユニットと共に扉内に取り付けることができることを特徴とするユニット組込み式のドアセット。
【請求項６】
請求項１から３のいずれかに記載の施錠ユニットを内蔵したことを特徴とする袖壁構造。
【発明の詳細な説明】
【技術分野】
【０００１】
本発明は、施錠ユニットおよびこの施錠ユニットを用いたドアセットおよび袖壁構造に関するものである。
【背景技術】
【０００２】
従来、多数のロックピンを用いて扉をロックする構造として、例えば特開平９−２３５９２３号の金庫の扉施錠装置や、特開２００１−５５８５５号の施錠装置などが知られているが、いずれも、扉に直接にリンク機構とロックピンの出没機構を取り付ける構造からなっている。
そのため、扉毎に個別にロック構造を取り付けるので、取付作業性の点で問題があった。
また、金庫のように扉を閉める際の施錠装置とロックピン機構を連動させる構造の場合には、常にロックピンを作動させる必要があり、これを屋内や屋外の扉に適用すると、扉を閉める施錠装置を変更することが容易に行えなかった。
また、扉の袖壁に上記のようなロックピンを取り付ける構造としては、特許第２８８０９９４号が知られているが、この場合も、ユニット化せず袖壁の内面側に取り付けている。
【特許文献１】特開２００１−５５８５５号公報
【特許文献１】特許第２８８０９９４号公報
【発明の開示】
【発明が解決しようとする課題】
【０００３】
この発明は、上記事情に鑑みて創案されたものであって、その主たる課題は、複数のロックピンを備えた施錠ユニットを用いることで、取付が容易であると共に、安全性を向上させることができる施錠ユニットおよびこの施錠ユニットを用いたドアセットおよび袖壁構造を提供するものである。
【課題を解決するための手段】
【０００４】
この発明は、上記課題を解決するために、
請求項１の施錠ユニットの発明では、
複数のロックピンと、該ロックピンを出没させるリンク機構と、該リンク機構を作動させるロック施錠部とを縦長のケーシング内に収納してなり、
前記リンク機構が、ケーシングの長手方向に沿って上下に延びる第１リンク部材と、該第１リンク部材と各ロックピンとの間にそれぞれ介設されて、ロック施錠部の操作による第１リンク部材の変位を各ロックピンの進退動に変換する第２リンク部材とからなっていることを特徴とする。
請求項２の発明では、
前記ケーシング内でリンク機構と衝合しない個所に、扉開閉用の錠前取付部を設けてなり、錠前取付部に取り付けた錠前によってロックピンとは独立して施錠乃至解錠を行うことができるようにしたことを特徴とする。
また、請求項３の発明では、
前記リンク機構がケーシング内を上下または左右方向に摺動する第１リンク部材と、該第１リンク部材に枢着され先端にロックピンを連結した第２リンク部材とからなっており、
第２リンク部材が、前記第１リンク部材の上下または左右方向の動きをロックピンの進退方向の動きに変換する伝動リンクと、該伝動リンクに枢着されてロックピンを進退方向に変位させる摺動リンクとからなっていることを特徴とする。
請求項４に記載のドアセットの発明では、
前記請求項１から３のいずれかに記載の施錠ユニットをドアセットに内蔵したことを特徴とする。
また、請求項５のユニット組込み式のドアセットでは、
前記請求項１から３のいずれかに記載の施錠ユニットが、その他の扉用ユニットと共に扉内に取り付けることができることを特徴とする。
更に、請求項６に記載の袖壁構造では、
前記請求項１から３のいずれかに記載の施錠ユニットを袖壁に内蔵したことを特徴とする。
【発明の効果】
【０００５】
この発明は、複数のロックピンをケーシング内に収納してユニット化することで、汎用性を高め、ドアセットや袖壁内に容易に取り付けることができる。
またドアセットでは、他のユニット化された部品と規格を合わせて、共に組み込むこともできる。
また、扉の通常の施錠装置とは別に作動するようにした場合は、施錠装置の選択や交換を容易に行なうことができる。
そして、ロック時には、複数のロックピンにより強固に施錠することが可能となる。
【発明を実施するための最良の形態】
【０００６】
この発明は、ケーシング内に複数のロックピンの出没機構を内蔵した施錠ユニットを設けることで、汎用性を高め、ドアや袖壁への取付容易性を実現した。
以下に、この発明の施錠ユニットについて、図面を参照しながら説明する。
【実施例１】
【０００７】
図１は、この発明の施錠ユニットの１実施例の機構部分を示す断面図、図２は側面図、図３は要部拡大図、図４は施錠ユニットをドアセットに組み込んだ状態を示す断面図、図５は施錠ユニットを袖壁ユニットに組み込んだ状態を示す断面図、図６は異なる実施例の施錠ユニットの機構部分を示す断面図である。
【０００８】
［施錠ユニット］
施錠ユニット１は、図１から図３に示すように、矩形で厚みの薄いケーシング２内に、上下に平行に配置された複数（図示例）では４つのロックピン３と、該ロックピン３を出没させるリンク機構４と、該リンク機構４を作動させるロック施錠部７とを内蔵しており、扉開閉用の錠前取付部１１が形成されている。
【０００９】
［ケーシング］
ケーシング２は、一面側が開口した縦長矩形状の略箱型からなっており、一方の側面（図示例では左側側面）にロックピン３を出没させる孔２ａが形成されている。  
また、他方の側面と上下の辺は、それぞれアングル状になって、開口側に僅かに折返されていると共に、閉塞された広面の３方で延長方向に突出する３つのブラケット片２ｂが形成されている。
【００１０】
［ロックピン］
ロックピン３は、剛性のある棒材からなっており、前記孔２ａが形成されたケーシング２の側壁内側に固設されたロックピンガイド３ａに貫挿されて直進しうるように取り付けられている。
本実施例では、ロックピン３は水平方向に進退動するが、上方または下方に進退動するように取り付けても良い。
【００１１】
［リンク機構］
リンク機構４は、ケーシング２内を上下に摺動する第１リンク部材５と、該第１リンク部材５に枢着されて、第１リンク部材５の上下動をロックピンの進退方向の動きに変換する第２リンク部材６とからなっている。
【００１２】
［第１リンク部材］
ここで、第１リンク部材５は、ケーシング２の他方の側壁側（ロックピン３と対向する側）で縦に配置されており、中途位置に長孔Ｈ１を有しており、該長孔Ｈ１にはケーシング２に固定されたピンＰ１が挿入されており、第１リンク部材５を支持すると共に、上下方向のスライドをガイドし、そのストロークを規制している
【００１３】
［第２リンク部材]
第２リンク部材６は、本実施例の場合、前記ロックピン３の基端に固定されてロックピン３を横方向に進退動させる摺動リンク６ａと、第１リンク部材５の上下の動きを摺動リンク６ａの左右の動きに変換する伝動リンク６ｂとからなっている。
【００１４】
即ち、伝動リンク６ｂは、アングル状からなっており、一端が第１リンク部材５にピンＰ２で枢着され、屈曲部となる中途位置でケーシング２に固定されたピンＰ３で枢支され、他端がピンＰ４で前記摺動リンク６ａの後端側に枢着されている。
また、摺動リンク６ａは、前方が前記ロックピンガイド３ａに貫挿しており、後方寄りに形成された長孔Ｈ２に、ケーシング２に固定された固定ピンＰ５が挿入されて、横方向にスライド可能に支持されている。
【００１５】
［ロック施錠部］
ロック施錠部７は、図示例の場合にはシリンダ錠からなっており、施錠ないし解錠によって第１リンク部材５に一体に連結された作動片８を上下を移動することができるようになっている。
また、９は前記作動片８と連動して作動するストッパであって、図１に示す施錠時には実線で示すように第１リンク部材５に形成された凹部に係合して第１リンク部材５の上方への動きをロックし、図３に示す解錠時には前記凹部から外れて第１リンク部材５の拘束を解除するようになっている。
なお、この発明で、ロック施錠部７の構成は特に限定されるものではなく、電子錠その他の公知の構造を用いることができる。
【００１６】
上記構成からなっているので、図１の施錠状態からロック施錠部７を解錠方向に操作して作動片８を昇動させると図３に示すようにストッパ９が退動し、第１リンク部材５がピンＰ１にガイドされながらａ方向へ垂直に上昇する。
これに伴いピンＰ２も上昇するので、伝動リンク６ｂはピンＰ３を支点にして図中時計方向ｂに枢動し、これによりピンＰ４がｃ方向に後退する。
このピンＰ４の後退により、摺動リンク６ａが固定ピンＰ５にガイドされて後退してロックピン受部１５（図４参照）に嵌合していたロックピン３をケーシング２側に退動させることができる。
【００１７】
施錠時には、逆に、ロック施錠部７を施錠方向に操作して作動片８を下降させると、第１リンク部材５がピンＰ１にガイドされながら垂直に降下し、ストッパ９が凹部に嵌合する。
これに伴いピンＰ２が下降するので、伝動リンク６ｂはピンＰ３を支点にして図中反時計方向に枢動し、これによりピンＰ４がロック方向へ前進する。
このピンＰ４の前進により、摺動リンク６ａが固定ピンＰ５にガイドされて前進し、ロックピン３をケーシング２から外方へ突出させ（図１参照）、ロックピン受部１５に没入させることができる。
【００１８】
［錠前取付部］
錠前取付部１１は、ケーシング２の中途位置に形成された開口などの取付用のスペースであって、前記リンク機構４やロック施錠部７が衝合しないように配置される。
図示例では、上から２番目の第２リンク部材６と３番目の第２リンク部材６の丁度中間位置に配置されている。
この錠前取付部１１に取り付けられる扉用の錠前は、特に限定されるものではなく、例えば、シリンダー構造のドア用錠前を取り付けることができる。
これにより、ロックピン３によるロックとは別系統で、錠前を用いて扉の開閉は行うことができる。錠前は内側にサムターンが付いたものでもよい。
【００１９】
上記施錠ユニット１は、図４に示すように、ドアセット２０のドア部分に組み込んで使用することができる。
即ち、ドアセット２０の内部スペースで、ドアが開く側に前記施錠ユニット１を嵌め込み、施錠ユニット１のロックピン３の突出側の側面がドアの側面となるようにして、ドアセット２０は完成する。
一方、ドアに対応する袖の端面側には、前記錠前のデッドボルトやラッチボルト１１’を受ける受座（ストライク）１５ａと、ロックピン３の取付位置に対応したロックピン受部１５とが形成される。
【実施例２】
【００２０】
上記実施例では、施錠ユニット１をドアセットに設けた場合を示したが、図５に示すように袖壁乃至袖セットに内蔵するものでもよい。
即ち、ドアセットには錠前だけを取り付けておき、袖壁３０内に施錠ユニット１を内蔵し、袖壁３０の端面からロックピン３が出没する構成となっている。
ここで施錠ユニット１は、錠前取付部１１に錠前を取り付けないが、施錠ユニット１自体が図に示すように予め錠前取付部１１を設けていない構成であってもよい。
【００２１】
袖の端面側には、受座１５ａが形成されており、その上下に前記施錠ユニット１のロックピン３が出没自在に配置されている。
従って、ドアには、扉を開く側端面に、前記袖側から突出するロックピン３に対応するロックピン受部１５が凹設されている。
また、袖壁３０には、施錠ユニット１のロック施錠部７を操作するためのシリンダなどが形成されている。
これにより、必要に応じてロック施錠部７を施錠方向に操作することで、ロックピン３を袖側からドアへ向けて突出させ、ドアに形成された第２受座に没入させせて、ドアをロックすることができる。
【００２２】
前記実施例の施錠ユニット１は、ドアの組立に用いるユニットの１つとして利用することができる。
即ち、ドアに組み込むユニットとして、例えば、郵便受けユニットや、窓ユニットなどを組み合わせてドアが組み立てられる場合に、そのユニットの１つとして、これらとサイズを合わせた施錠ユニット１を用いることができる。
【実施例３】
【００２３】
図６（ａ）（ｂ）に示す施錠ユニット１は、第２リンク部材６の異なる実施例を示す。
この場合、摺動リンク６ａと伝動リンク６ｂの形状は、前記実施例１の場合と同様であるが、摺動リンク６ａに対して伝動リンク６ｂの枢動支点となるピンＰ３が下方に配置された図示例の配置からなる点で相違している。
【００２４】
そして、仮想線で示すように、ロック施錠部７の操作で作動片８が実線位置から仮想線位置へ上昇すると、これに連動して第１リンク部材５が上昇し、この上昇によって伝動リンク６ｂが図中時計方向に枢動し、摺動リンク６ａが前方に押し出されてロックピン３が施錠方向に突出するようになっている。
その他の構成は、前記実施例１と同様であるので、同一構成には同一符号を付してその説明を省略する。
【実施例４】
【００２５】
図７に示す施錠ユニット１は、扉開閉用の錠前にロック施錠部７とは別にロックピン３を解錠するための解錠サポートアーム１２を取り付けた異なる実施例を示す。
即ち、解錠サポートアーム１２は、基端が錠前ケースの下方に枢着Ｐ６されており、その先端側が第１リンク部材５に一体に形成されて直交方向に伸びるサポート受片５ａと衝合するように配置されている。
【００２６】
本実施例では、第１リンク部材５はスプリングＳによって付勢されている。
また、ドアのケーシング２には前記解錠サポートアーム１２の枢軸Ｐ６に固定されたレバーハンドル１３が枢動可能に取り付けられている。
そして、施錠時には解錠サポートアーム１２がサポート受片５ａと衝合しているので、前記レバーハンドル１３を、前記スプリングＳの付勢力に抗して図中反時計方向に枢動すると、これに連動して解錠サポートアーム１２が図中、反時計方向に枢動し、実線位置から仮想線位置に変位する。
これに伴い、サポート受片５ａが仮想線位置から実線位置まで下降し、前述の第２リンク部材６が枢動変位し、ロックピン３を退動させることができる。
その他の構成は、前記実施例と同様であるので説明を省略する。
【実施例５】
【００２７】
図８に示す施錠ユニット１は、ロック施錠部７の操作で作動片８が第１リンク部材５を前方（施錠方向）へ摺動させるようになっている。
即ち、第１リンク部材５は、前方へ直角に突出する突片５ｂを一体に有しており、略水平に延びる長孔Ｈ１内に固定されたピンＰ１が貫挿している。
【００２８】
また、第２リンク部材６は、伝動リンク６ｂが直線状に延びて中央が固定されたピンＰ３により枢着されたレバーとなっており、一端が突片５ｂに枢着Ｐ２され、他端が摺動リンク６ａに枢着Ｐ４されている。
摺動リンク６ｂは、水平に延びる横片６０と、垂直に延びる縦片６１とからなっており、横片６０には長孔Ｈ２が形成されており、固定されたピンＰ５が貫挿されており、縦片６１の端部は前記伝動リンク６ｂに枢着Ｐ４されている。
そして、横片６０の先端にはロックピン３が突設されている。
【００２９】
ロック施錠部７は、縦向きに延びて上下にスライドするガイド片７ａを上向きに立設しており、該ガイド片７ａに作動片８が枢着されている。
作動片８は、Ｌ状からなっており、一端が前記ガイド片７ａの中央に枢着Ｐ６されており、他端が第１リンク部材５の突片５ｂの１つに枢着Ｐ７され、中途位置が固定されたピンＰ８によりケーシング２に枢支されている。
【００３０】
そこで、ロック施錠部７の操作でガイド片７ａが下降すると、作動片８が図中時計方向に枢動し、第１リンク部材５を前方（図中右方向）へ摺動させる。
これに伴い、各伝動リンク６ｂが、突片５ｂより上方に枢着している場合は反時計方向に、突片５ｂより下方に枢着している場合は時計方向に枢動して、それぞれに枢着された摺動リンク６ａを後退させ、ロックピン３をロック位置からロック解除位置に退動させる。
ロックするには、前記と逆の手順で行えばよい。
この場合であっても、ケーシング２の大きさは、前記実施例１と同様の寸法に設定することができる。
その他の構成は、前記実施例と同様であるので、説明を省略する。
【００３１】
上記各実施例では、扉を開閉する錠前とロック施錠部７とを双方設けた場合を例示したが、この発明では、ロック施錠部７を設けず、錠前の作動と連動する作動片８を設けてリンク機構４を直接に上下動させてロックピン３をロックピン受部１５へ出没させる構成としてもよい。
これにより、錠前の操作によるドアの開閉とロックピンによるドアのロックが同時に連動して行われる。
【００３２】
また、前記実施例では、ロックピンは横方向に出没する場合を例示したが、これと共に上下方向にも出没するようにしてもよい。
更に、ドアのヒンジ側にロックピンを突出させておき、閉扉時にヒンジ側の壁面に形成された凹状の受座に嵌合させるようにしてもよい。
その他、要するにこの発明の要旨を変更しない範囲で種々設計変更しうること勿論である。
【図面の簡単な説明】
【００３３】
【図１】施錠ユニットの施錠時の機構部分を示す平面図である。（実施例１）
【図２】図１の側面図である。
【図３】図１の解錠時の要部拡大図である。
【図４】図１の施錠ユニットをドアセットに組み込んだ状態を示す平面図である。
【図５】図１の施錠ユニットを袖壁ユニットに組み込んだ状態を示す平面図である。（実施例２）
【図６】第２リンク部材の異なる施錠ユニットの機構部分の要部を示すもので、（ａ）は横断面図、（ｂ）は平面図である。（実施例３）
【図７】解錠サポートアームを示す要部拡大図である。（実施例４）
【図８】第１リンク部材が前方へ摺動する施錠ユニットの機構部分を示す平面図である。（実施例５）
【符号の説明】
【００３４】
１    施錠ユニット
２    ケーシング
２ａ  孔
２ｂ  ブラケット片
３    ロックピン
３ａ  ロックピンガイド
４    リンク機構
５    第１リンク部材
６    第２リンク部材
６ａ  摺動リンク
６ｂ  伝動リンク
７    ロック施錠部
８    作動片
１１    施錠装置取付部
１５    ロックピン受部
２０    ドアセット
Ｈ１、Ｈ２  長孔
【図１】
2006077475.tif 000003
【図２】
2006077475.tif 000004
【図３】
2006077475.tif 000005
【図４】
2006077475.tif 000006
【図５】
2006077475.tif 000007
【図６】
2006077475.tif 000008
【図７】
2006077475.tif 000009
【図８】
2006077475.tif 000010